(57)【要約】【課題】下睫や目頭、目尻まで綺麗にマスカラを塗るのは難しく、テクニックが必要とされる。現状のマスカラブラシはブラシ部が太く、直径６ｍｍ〜８ｍｍ、長さ２０ｍｍ〜２７ｍｍが主流でブラシ部が皮膚につきやすく時間と手間がかかる。【解決手段】フィラメントをワイヤに挟んだ後に、このワイヤを捻った直径２ｍｍ〜３ｍｍ、長さ１０ｍｍ程のロール型ブラシと合成樹脂の柄からなるマスカラブラシであって、柄にはブラシのワイヤ挿通孔を有し、ワイヤを接着剤により挿通固定したことを特徴とするマスカラブラシである。使用後は、キャップに収めることができるキャップ付きのマスカラブラシである。【選択図】図１
0003124527.tif 000002
【実用新案登録請求の範囲】
【請求項１】
フィラメントをワイヤに挟んだ後に、このワイヤを捻った直径２ｍｍ〜３ｍｍ、長さ１０ｍｍ程のロール型ブラシと合成樹脂の柄からなるマスカラブラシである。
【請求項２】
柄にはブラシのワイヤ挿通孔を有し、ワイヤを接着剤により挿通固定したことを特徴としたマスカラブラシである。
【請求項３】
使用後は、キャップに収めることができるキャップ付きのマスカラブラシである。
【考案の詳細な説明】
【考案の詳細な説明】
【技術分野】
【０００１】  本考案は、下睫、目尻、目頭の睫１本１本まで簡単に綺麗に塗ることができるマスカラブラシである。【０００２】  短い睫も根元から捕らえ、際の睫も綺麗に塗ることができるマスカラブラシである。
【背景技術】
【０００３】  マスカラ市場がますます増大する中、より目を大きく見せる為、マスカラによるメイクをより完璧に仕上げる方法が注目されている。
【考案の開示】
【考案が解決しようとする課題】
【０００４】  下睫や目頭、目尻まで綺麗にマスカラを塗るのは難しく、テクニックが必要とされる。又現状のマスカラブラシではブラシ部が太く、直径６ｍｍ〜８ｍｍ、長さ２０ｍｍ〜２７ｍｍが主流でブラシ部が皮膚につきやすく時間と手間がかかる。そこで、これらの細部の睫を綺麗に簡単に仕上げ、前述の欠点を解決しようとしたものである。
【課題を解決するための手段】
【０００５】  フィラメントをワイヤに挟んだ後に、このワイヤを捻った直径２〜３ｍｍ、長さ１０ｍｍ程のロール型ブラシと合成樹脂の柄からなるマスカラブラシであって、柄にはブラシのワイヤ挿通孔を有し、ワイヤを接着剤により挿通固定したことを特徴とするマスカラブラシである。使用後は、キャップに収めることができるキャップ付きのマスカラブラシである。
【考案の効果】
【０００６】  上述のように、本考案のマスカラブラシを使用することにより、綺麗に塗ることが困難とされていた、下睫、目頭、目尻、の睫１本１本まで簡単に綺麗に塗ることができ、又短い睫も根元から捕らえ、際の睫も綺麗に塗ることができる。
【考案を実施するための最良の形態】
【０００７】  本考案のマスカラブラシに、愛用のマスカラを擦り合わせるようにして液を乗せ、下睫や目頭、目尻の短い睫の根元から縦塗り、横塗りします。使用後はブラシ部をテイッシュで拭取り、キャップに収納します。
【実施例】
【０００８】  以下、添付図面に従って実施例を説明する。【０００９】  １はフィラメントをワイヤに挟んだ後に、このワイヤを捻った直径２ｍｍ〜３ｍｍ、長さ１０ｍｍ程のロールブラシ。２は合成樹脂からなる柄である。３は捻ったワイヤで、１ａは挿通孔であり捻ったワイヤを接着剤により挿通固定する部分である。４はブラシを被うキャップである。５は、従来使用している愛用のマスカラである。
【図面の簡単な説明】
【００１０】
【図１】  本考案のマスカラブラシの正面図である。
【図２】  本考案のマスカラブラシを取外した状態と柄の断面図である。
【図３】  本考案のブラシ部の拡大図である。
【図４】  本考案を従来使用しているマスカラを擦り合わせるようにして液を乗せる使用例。
【図５】  本考案のマスカラブラシの使用状態である。
【符号の説明】
【００１１】  １    ブラシ部
２    柄
３    捻ったワイヤ
４    キャップ
５    愛用マスカラ
１ａ  ワイヤ挿通孔
【図１】
0003124527.tif 000003
【図２】
0003124527.tif 000004
【図３】
0003124527.tif 000005
【図４】
0003124527.tif 000006
【図５】
0003124527.tif 000007
【手続補正書】
【提出日】平成18年5月26日(2006.5.26)
【手続補正１】
【補正対象書類名】実用新案登録請求の範囲
【補正対象項目名】全文
【補正方法】変更
【補正の内容】
【実用新案登録請求の範囲】
【請求項１】
合成樹脂からなる柄の先端部に挿入固定されたロールブラシに、着脱自在のキャップを備えたマスカラブラシ。
【請求項２】
前記ロールブラシは、直径２ｍｍ〜３ｍｍ、長さ１０ｍｍである請求項１記載のマスカラブラシ。
【手続補正２】
【補正対象書類名】明細書
【補正対象項目名】全文
【補正方法】変更
【補正の内容】
【考案の詳細な説明】
【考案の詳細な説明】
【技術分野】
【０００１】  本考案は、下睫、目尻、目頭の睫１本１本まで簡単に綺麗に塗ることができるマスカラブラシである。【０００２】  短い睫も根元から捕らえ、際の睫も綺麗に塗ることができるマスカラブラシである。
【背景技術】
【０００３】  マスカラ市場がますます増大する中、より目を大きく見せる為、マスカラによるメイクをより完璧に仕上げる方法が注目されている。
【考案の開示】
【考案が解決しようとする課題】
【０００４】  下睫や目頭、目尻まで綺麗にマスカラを塗るのは難しく、テクニックが必要とされる。又現状のマスカラブラシではブラシ部が太く、直径６ｍｍ〜８ｍｍ、長さ２０ｍｍ〜２７ｍｍが主流でブラシ部が皮膚につきやすく時間と手間がかかる。そこで、これらの細部の睫を綺麗に簡単に仕上げ、前述の欠点を解決しようとしたものである。
【課題を解決するための手段】
【０００５】  合成樹脂からなる柄の先端部に挿入固定されたロールブラシに、着脱自在のキャップを備えたマスカラブラシ。ロールブラシは直径２ｍｍ〜３ｍｍ、長さ１０ｍｍである。
【考案の効果】
【０００６】  上述のように、本考案のマスカラブラシを使用することにより、綺麗に塗ることが困難とされていた、下睫や目頭、目尻、の睫１本１本まで簡単に綺麗に塗ることができ、又短い睫も根元から捕らえ、際の睫も綺麗に塗ることができる。
【考案を実施するための最良の形態】
【０００７】  本考案のマスカラブラシに、愛用のマスカラを擦り合わせるようにして液を乗せ、下睫や目頭、目尻、短い睫の根元から縦塗り、横塗りします。使用後はブラシ部をテイッシュで拭取り、キャップに収納します。
【実施例】
【０００８】  以下、添付図面に従って実施例を説明する。【０００９】  図１において（１）は直径２ｍｍ〜３ｍｍ、長さ１０ｍｍのロールブラシ。（２）は合成樹脂からなる柄である。図２において（３）はワイヤで、（１ａ）は挿通孔でありワイヤを接着剤により挿通固定する部分である。（４）はブラシを被うキャップである。図４において（５）は、従来使用している愛用のマスカラである。
【図面の簡単な説明】
【００１０】
【図１】本考案のマスカラブラシの正面図である。
【図２】本考案のブラシ部を取り外した状態と柄の断面図である。
【図３】本考案のブラシ部の拡大図である。
【図４】本考案を従来使用しているマスカラを擦り合わせるようにして液を乗せる使用例。
【図５】本考案のマスカラブラシの使用例である。
【符号の説明】
【００１１】（１）ブラシ部
（２）柄
（３）ワイヤ
（４）キャップ
（５）愛用マスカラ
（１ａ）ワイヤ挿通孔